(57)【要約】【課題】病院等の廊下や室内の壁面に接触しても、壁面の損傷や汚れを確実に防止することのできる車椅子用緩衝具を提供する。【解決手段】車椅子１の前端下部の左右に設けられた突出部４に取付けて使用することにより、車椅子１を病院等で使用する際に突出部４が廊下や室内の壁面に接触しても、緩衝具本体１１がクッションとなり、壁面の損傷や汚れを確実に防止することができる。この場合、緩衝具本体１１を突出部４に着脱自在に形成したので、メンテナンスや交換を容易に行うことができ、実用上極めて有利である。また、接触時の衝撃も緩衝具本体１１によって吸収されるので、車椅子１に搭乗している使用者Ａの保護にも効果的である。【選択図】　図１
2004033255.tif 000002
【特許請求の範囲】
【請求項１】
前端下部の幅方向両側からそれぞれ前方に突出する突出部を備えた車椅子に使用される車椅子用緩衝具であって、
緩衝具本体を前記突出部を覆うクッション材によって形成するとともに、緩衝具本体を突出部に着脱自在に形成した
ことを特徴とする車椅子用緩衝具。
【請求項２】
前記緩衝具本体の側面に前記突出部から側方に延びる板状部を挿通可能な開口部を設けた
ことを特徴とする請求項１記載の車椅子用緩衝具。
【請求項３】
前記開口部の上端及び下端から前記板状部の上面及び下面に沿ってそれぞれ延びる延出部と、
各延出部を前記板状部に固定する固定部材とを備えた
ことを特徴とする請求項２記載の車椅子用緩衝具。
【請求項４】
前記各延出部の少なくとも一方を上下方向に可撓性を有するように形成した
ことを特徴とする請求項３記載の車椅子用緩衝具。
【請求項５】
前端下部の幅方向両側からそれぞれ前方に突出する突出部と、突出部から側方に延びる足載せ用の板状部とを備えた車椅子に使用される車椅子用緩衝具であって、
緩衝具本体を前記突出部及び板状部の前端部を覆うクッション材によって形成するとともに、緩衝具本体を突出部に着脱自在に形成した
ことを特徴とする車椅子用緩衝具。
【請求項６】
前記緩衝具本体の表面に光反射性の発光部を設けた
ことを特徴とする請求項１、２、３、４または５記載の車椅子用緩衝具。
【発明の詳細な説明】
【０００１】
【発明の属する技術分野】
本発明は、前端下部の両側に足載せ用のステップを支持する突出部を備えた車椅子に使用される車椅子用緩衝具に関するものである。
【０００２】
【従来の技術】
従来、歩行の不自由な人が使用する車椅子としては、使用者または補助者の人力によって走行するもの、或いは使用者の運転操作によって自走可能な電動のものなどが知られている。これらの車椅子は、前端下部に足載せ用のステップを有し、ステップは車椅子の前端下部の幅方向両側からそれぞれ前方に突出する突出部によって支持されている。
【０００３】
【発明が解決しようとする課題】
しかしながら、前記車椅子が病院、各種施設または一般家屋内を走行する際、車椅子の前記突出部が廊下や室内の壁面に接触し、壁面の損傷や汚れを生じさせるという問題点があった。
【０００４】
本発明は前記問題点に鑑みてなされたものであり、その目的とするところは、病院等の廊下や室内の壁面に接触しても、壁面の損傷や汚れを確実に防止することのできる車椅子用緩衝具を提供することにある。
【０００５】
【課題を解決するための手段】
本発明は前記目的を達成するために、請求項１では、前端下部の幅方向両側からそれぞれ前方に突出する突出部を備えた車椅子に使用される車椅子用緩衝具であって、緩衝具本体を前記突出部を覆うクッション材によって形成するとともに、緩衝具本体を突出部に着脱自在に形成している。
【０００６】
これにより、車椅子の各突出部がクッション材からなる緩衝具本体によって覆われることから、車椅子を病院等で使用する際、突出部が廊下や室内の壁面に接触した場合には、緩衝具本体によって衝撃が吸収される。
【０００７】
また、請求項２では、請求項１記載の車椅子用緩衝具において、前記緩衝具本体の側面に前記突出部から側方に延びる板状部を挿通可能な開口部を設けている。
【０００８】
これにより、請求項１の作用に加え、突出部に取付ける際、突出部から延びる板状部が緩衝具本体の開口部を挿通することから、板状部と干渉することなく取付けることが可能となる。
【０００９】
また、請求項３では、請求項２記載の車椅子用緩衝具において、前記開口部の上端及び下端から前記板状部の上面及び下面に沿ってそれぞれ延びる延出部と、各延出部を前記板状部に固定する固定部材とを備えている。
【００１０】
これにより、請求項２の作用に加え、板状部の上面及び下面に沿って延びる各延出部が固定部材によって固定されることから、緩衝具本体が突出部から容易に脱落することがない。
【００１１】
また、請求項４では、請求項３記載の車椅子用緩衝具において、前記各延出部の少なくとも一方を上下方向に可撓性を有するように形成している。
【００１２】
これにより、請求項３の作用に加え、延出部が上下方向に可撓性を有することから、各延出部の間隔を板状部の厚さ寸法に応じた任意の間隔にすることが可能となる。
【００１３】
また、請求項５では、前端下部の幅方向両側からそれぞれ前方に突出する突出部と、突出部から側方に延びる足載せ用の板状部とを備えた車椅子に使用される車椅子用緩衝具であって、緩衝具本体を前記突出部及び板状部の前端部を覆うクッション材によって形成するとともに、緩衝具本体を突出部に着脱自在に形成している。
【００１４】
これにより、車椅子の各突出部がクッション材からなる緩衝具本体によって覆われることから、車椅子を病院等で使用する際、突出部が廊下や室内の壁面に接触した場合には、緩衝具本体によって衝撃が吸収される。その際、緩衝具本体によって板状部の前端部も覆われることから、板状部に載せた足のつま先側が直接壁面等に接触することがなく、つま先側に加わる衝撃も吸収される。
【００１５】
また、請求項６では、請求項１、２、３、４または５記載の車椅子用緩衝具において、前記緩衝具本体の表面に光反射性の発光部を設けている。
【００１６】
これにより、請求項１、２、３、４または５の作用に加え、発光部の反射光により、車椅子の視認性が高まる。
【００１７】
【発明の実施の形態】
図１乃至図６は本発明の一実施形態を示すもので、図１は車椅子の側面図、図２は車椅子用緩衝具の斜視図、図３はその側面図、図４は緩衝具の取付状態を示す車椅子の部分斜視図、図５はその部分平面図、図６は緩衝具の正面断面図である。
【００１８】
同図に示す車椅子１は、車椅子本体２の前端下部に足載せ用の左右一対のステップ３を備えたもので、各ステップ３は車椅子本体２の幅方向両端から前方に突出する突出部４によって支持されている。即ち、各ステップ３は突出部４から幅方向中央に向かって延びる板状部をなし、突出部４を中心に上方に回動可能に設けられている。尚、車椅子本体２は幅方向に折り畳み可能に構成され、各ステップ３は車椅子本体２を折り畳む際に上方に回動されるようになっている。
【００１９】
本実施形態の緩衝具１０は、車椅子１の突出部４を覆う緩衝具本体１１を備え、緩衝具本体１１は突出部４に着脱自在に形成されている。緩衝具本体１１はウレタン等のクッション材からなり、一端を開口した略円筒状に形成されている。この場合、緩衝具本体１１は、板状のクッション材１１ａを二枚重ねにして円筒部を形成し、この円筒部の一端を円板状のクッション材１１ｂで閉塞することにより形成される。尚、このような成形方法は一例であり、例えば緩衝具本体１１の全体を一体成形するようにしてもよい。
【００２０】
緩衝具本体１１の側面には、車椅子１のステップ３を挿通可能な開口部１２が設けられ、この開口部１２は緩衝具本体１１の一端から他端に亘って横長に形成されている。
【００２１】
緩衝具１０は開口部１２の上端及び下端からそれぞれ側方に延びる上下一対の延出部１３，１４を有し、各延出部１３，１４はステップ３の上面及び下面に沿うように形成されている。この場合、上方の延出部１３は上下方向に可撓性を有し、下方の延出部１４との間隔を任意に変えられるようになっている。
【００２２】
また、緩衝具１０は、緩衝具本体１１を車椅子１側に固定するための固定ベルト１５を備えている。この固定ベルト１５は下方の延出部１４の下面側に取付けられ、その両端側を上方の延出部１３側に巻き付けるようにして結合させるようになっている。即ち、固定ベルト１５の一端側には他端側と着脱自在な周知のファスナー１５ａが設けられている。
【００２３】
以上のように構成された緩衝具１０は、車椅子１の各突出部４にそれぞれ取付けて使用される。この場合、車椅子１の各突出部４には、左右対称に形成された一対の緩衝具１０がそれぞれ取付けられる。
【００２４】
即ち、車椅子１に緩衝具１０を取付ける場合には、ステップ３が緩衝具本体１１の開口部１２を挿通するようにして緩衝具本体１１を突出部４に装着した後、固定ベルト１５を緩衝具本体１１の各延出部１３，１４とステップ３を巻き付けるようにして結合する。その際、上方の延出部１３は上下方向に可撓性を有するため、各延出部１３，１４の間隔をステップ３の厚さ寸法に応じた任意の間隔にすることができる。例えば、図６（ａ）　に示すステップ３の厚さ寸法Ｔ１　と図６（ｂ）　に示すステップ３の厚さ寸法Ｔ２　とが異なる場合であっても（Ｔ１　＜Ｔ２　）、上方の延出部１３をこれらの厚さ寸法に応じて撓ませることにより、各延出部１３，１４の間隔をステップ３の厚さ寸法Ｔ１　またはＴ２　に応じた適正な間隔にすることができる。
【００２５】
このように、本実施形態の車椅子用緩衝具１０によれば、車椅子１の前端下部の左右に設けられた突出部４に取付けて使用することにより、車椅子１を病院等で使用する際に突出部４が廊下や室内の壁面に接触しても、緩衝具本体１１がクッションとなり、壁面の損傷や汚れを確実に防止することができる。この場合、緩衝具本体１１を突出部４に着脱自在に形成したので、メンテナンスや交換を容易に行うことができ、実用上極めて有利である。
【００２６】
更に、接触時の衝撃も緩衝具本体１１によって吸収することができるので、車椅子１に搭乗している使用者Ａの保護にも効果的である。特に、使用者Ａは車椅子１にベルト等で保持されていないため、緩衝具本体１１によって衝撃が吸収されることにより、使用者Ａの転落や姿勢の乱れを防止することができる。
【００２７】
また、緩衝具本体１１に突出部４から延びるステップ３を挿通可能な開口部１２を設けたので、ステップ３と干渉することなく取付けることができ、このようなステップ３を有する車椅子１にも的確に使用することができる。
【００２８】
更に、前記開口部１２の上端及び下端からステップ３の上面及び下面に沿ってそれぞれ延びる上下一対の延出部１３，１４を設け、各延出部１３，１４に固定ベルト１５を巻き付けることによって延出部１３，１４を固定するようにしたので、緩衝具本体１１が突出部４から容易に脱落することがなく、車椅子１に確実に保持することができる。
【００２９】
この場合、上方の延出部１３を上下方向に可撓性を有するように形成したので、各延出部１３，１４の間隔をステップ３の厚さ寸法に応じた任意の間隔にすることができ、ステップ３の厚さ寸法の異なる複数種類の車椅子に対応することができる。
【００３０】
また、図７に示すように緩衝具本体１１の表面に周知の反射テープ等からなる光反射性の発光部１６を設けるようにすれば、発光部１６の反射光により、車椅子１の視認性が高まり、使用者Ａの安全性の向上に有利である。
【００３１】
図８乃至図１０は本発明の他の実施形態を示すもので、図８は車椅子用緩衝具の前面側斜視図、図９はその背面側斜視図、図１０は緩衝具の取付状態を示す車椅子の部分平面図である。
【００３２】
本実施形態の緩衝具２０は、クッション材からなる緩衝具本体２１を備え、緩衝具本体２１は、車椅子１の突出部４を覆う筒状部２２と、ステップ３の前端部を覆うカバー部２３とからなる。
【００３３】
緩衝具本体２１は車椅子１の突出部４及びステップ３とほぼ同等の幅寸法に形成され、その底面部２１ａはステップ３の下方に位置するようになっている。また、底面部２１ａの後部一端側（筒状部２２の反対側）にはステップ３の一部を挿入可能な略三角形状の保持部２１ｂが設けられている。
【００３４】
筒状部２２は緩衝具本体２１の幅方向一端側に形成され、その後端を突出部４を挿入可能に開口している。また、筒状部２２の側面にはステップ３を挿通可能な開口部２２ａが設けられている。
【００３５】
カバー部２３は緩衝具本体２１の前面、前端側両側面及び前端側上面を覆うように形成され、その周縁は底面部２１ａまで延びている。これにより、筒状部２２の側方には、カバー部２３と底面部２１ａとの間に使用者Ａの足Ｂを挿入可能な空間２４が形成されている。
【００３６】
以上のように構成された緩衝具２０は、車椅子１の前端下部にそれぞれ取付けて使用される。この場合、車椅子１には、左右対称に形成された一対の緩衝具２０がそれぞれ取付けられる。
【００３７】
即ち、車椅子１に緩衝具２０を取付ける場合には、まずステップ３が筒状部２２の開口部２２ａを挿通するようにして筒状部２２を突出部４に挿入する。その際、ステップ３の下面側に緩衝具本体２１の底面部２１ａが位置するが、ステップ３の一部を緩衝具本体２１の保持部２１ｂ内に挿入することにより、緩衝具本体２１がステップ３に保持される。即ち、図１０に示すようにステップ３に使用者Ａの足Ｂを載せると、足Ｂのつま先側がカバー部２３内の空間２４に収容されるようになっている。
【００３８】
このように、本実施形態の車椅子用緩衝具２０によれば、前記実施形態と同様、緩衝具本体２１のクッション性により、病院等の壁面の損傷や汚れを確実に防止することができる。また、ステップ３の前端部を覆うカバー部２３によって使用者Ａのつま先側を覆うようにしたので、ステップ３に載せた足のつま先側が直接壁面等に接触することがなく、つま先側に加わる衝撃も吸収することができる。従って、使用者Ａの足Ｂの保護においても効果的である。
【００３９】
【発明の効果】
以上説明したように、請求項１の車椅子用緩衝具によれば、車椅子の突出部が病院等の廊下や室内の壁面に接触しても、緩衝具本体によって衝撃を吸収することができるので、壁面の損傷や汚れを確実に防止することができる。この場合、緩衝具本体が突出部に着脱自在に形成されているので、メンテナンスや交換を容易に行うことができ、実用上極めて有利である。また、接触時の衝撃も吸収することができるので、車椅子に搭乗している使用者の保護にも効果的である。
【００４０】
また、請求項２によれば、請求項１の効果に加え、突出部から側方に延びる板状部を有する場合であっても、板状部と干渉することなく取付けることができるので、例えば足載せ用のステップを有する車椅子にも的確に使用することができる。
【００４１】
また、請求項３によれば、請求項２の効果に加え、緩衝具本体が突出部から容易に脱落することがないので、車椅子に確実に保持することができる。
【００４２】
また、請求項４によれば、請求項３の効果に加え、板状部の厚さ寸法の異なる複数種類の車椅子に対応することができるので、汎用性の向上を図ることができる。
【００４３】
また、請求項５によれば、車椅子の突出部が病院等の廊下や室内の壁面に接触しても、緩衝具本体によって衝撃を吸収することができるので、請求項１と同様、壁面の損傷や汚れを確実に防止することができる。この場合、板状部に載せた足のつま先側が直接壁面等に接触することがなく、つま先側に加わる衝撃も吸収することができるので、使用者の足の保護ににおいても効果的である。
【００４４】
また、請求項６によれば、請求項１、２、３、４または５の効果に加え、車椅子の視認性を高めることができるので、使用者の安全性の向上に有利である。
【図面の簡単な説明】
【図１】本発明の一実施形態を示す車椅子の側面図
【図２】車椅子用緩衝具の斜視図
【図３】車椅子用緩衝具の側面図
【図４】緩衝具の取付状態を示す車椅子の部分斜視図
【図５】緩衝具の取付状態を示す車椅子の部分平面図
【図６】緩衝具の正面断面図
【図７】発光部を設けた車椅子用緩衝具の斜視図
【図８】本発明の他の実施形態を示す車椅子用緩衝具の前面側斜視図
【図９】車椅子用緩衝具の背面側斜視図
【図１０】緩衝具の取付状態を示す車椅子の部分平面図
【符号の説明】
１…車椅子、２…突出部、３…ステップ、１０…車椅子用緩衝具、１１…緩衝具本体、１２…開口部、１３，１４…延出部、１５…固定ベルト、１６…発光部、２０…車椅子用緩衝具、２１…緩衝具本体、２２…筒状部、２３…カバー部、Ａ…使用者、Ｂ…足。
【図１】
2004033255.tif 000003
【図２】
2004033255.tif 000004
【図３】
2004033255.tif 000005
【図４】
2004033255.tif 000006
【図５】
2004033255.tif 000007
【図６】
2004033255.tif 000008
【図７】
2004033255.tif 000009
【図８】
2004033255.tif 000010
【図９】
2004033255.tif 000011
【図１０】
2004033255.tif 000012